(57)【要約】地震、津波警戒システム及び主要な通知メッセージの転送方法であって、上記転送方法においては、基地局が地震、津波警戒システム(ＥＴＷＳ)メッセージ指示情報を含める呼出メッセージですべての端末を呼び出して、端末と事前設定されたリソースにＥＴＷＳ主要な通知メッセージの安全情報を送信することと、上記ＥＴＷＳの主要な通知メッセージの基本情報を上記呼出メッセージに付加して送信しまたは事前設定されたリソースに送信することと、及び、端末が上記ＥＴＷＳメッセージ指示情報を含める呼出メッセージを受信した後で、上記事前設定されたリソースに上記ＥＴＷＳの主要な通知メッセージの安全情報を受信して、上記呼出メッセージから取得し或いは事前設定されたリソースにＥＴＷＳの主要な通知メッセージの基本情報を受信することとを含める。本発明に提供された技術案がＥＴＷＳの主要な通知メッセージの転送が実現できて、同時に時間遅延の要求を満足して、且つ基地局と端末だけに対してわずかな改変を加えるだけで、オーバーヘッドの増加がないか、或いは増加が非常に少ない。
2011529214.tif 000002
【特許請求の範囲】
【請求項１】
基地局が地震、津波警戒システム(ＥＴＷＳ)メッセージ指示情報を含める呼出メッセージですべての端末を呼び出して、端末と事前設定されたリソースにＥＴＷＳ主要な通知メッセージの安全情報を送信して、上記ＥＴＷＳの主要な通知メッセージの基本情報が上記呼出メッセージに保持されて送信し、または事前設定されたリソースに送信することと、
端末が上記ＥＴＷＳメッセージ指示情報を含める呼出メッセージを受信した後で、上記事前設定されたリソースに上記ＥＴＷＳの主要な通知メッセージの安全情報を受信して、上記呼出メッセージから取得し、或いは上記事前設定されたリソースに上記ＥＴＷＳの主要な通知メッセージの基本情報を受信することとを含めることを特徴とする地震、津波警戒システムの主要な通知メッセージの転送方法。
【請求項２】
上記事前設定されたリソースが一つ又は複数のサブフレーム内のダウンリンク共有チャネル(ＤＬ-ＳＣＨ)に位置して、上記事前設定されたリソースを含めるサブフレームがサブフレーム集合における一つ又は複数のサブフレームであって、上記サブフレーム集合が上記呼出メッセージの所属のサブフレーム及びその後の一番目から五番目までのサブフレームを含めることを特徴とする請求項１の記載の転送方法。
【請求項３】
上記ＥＴＷＳメッセージ指示情報が上記呼出メッセージに一つのＥＴＷＳの主要な通知メッセージの送信を指示するロゴを設置することにより、ＥＴＷＳメッセージ指示情報になることを特徴とする請求項１又は２の記載の転送方法。
【請求項４】
上記事前設定されたリソースがシステムの既存のあるリソースの固定チャネルであって、或いはシステムメッセージの中にあるシステム情報ブロックであって、或いはシステムメッセージを含むあるシステム情報であることを特徴とする請求項３の記載の転送方法。
【請求項５】
上記システムの既存の一つのリソース固定チャネルが呼出チャネルであることを特徴とする請求項４の記載の転送方法。
【請求項６】
上記事前設定されたリソースが連続的なものであって、上記基地局と端末は、上記事前設定されたリソースが上記ＤＬ-ＳＣＨの固定位置に位置することを設定して、上記端末は上記固定位置より直接に上記事前設定されたリソースが上記ＤＬ-ＳＣＨに位置する位置を確定し、或いは、上記基地局と端末は上記事前設定されたリソースと上記ＤＬ-ＳＣＨに位置が把握可能のもう一つのリソースの間の固定的な相対位置関係を設定して、上記端末は上記もう一つのリソースの位置より上記事前設定されたリソースが上記ＤＬ-ＳＣＨに位置する位置を推定することを特徴とする請求項３の記載の転送方法。
【請求項７】
上記事前設定されたリソースが離散的なものであって、上記事前設定されたリソースにおけるある部分のリソースに対して、上記基地局と端末は上記ある部分のリソースが上記ＤＬ-ＳＣＨに位置する固定位置を設定して、上記端末は上記固定位置より直接に上記ある部分のリソースが上記ＤＬ-ＳＣＨに位置する位置を確定し、或いは、上記基地局と端末は上記ある部分のリソースと上記ＤＬ-ＳＣＨに位置する位置が把握可能のもう一つのリソースの間の固定的な相対位置関係を設定して、上記端末は上記もう一つのリソースの位置より上記ある部分のリソースが上記ＤＬ-ＳＣＨに位置する位置を推定することを特徴とする請求項３の記載の転送方法。
【請求項８】
上記もう一つのリソースとは呼出チャネルリソースであることを特徴とする請求項７の記載の転送方法。
【請求項９】
長期発展型システムに使用されて、地震、津波が発生した後で、上記事前設定されたリソースが上記ＥＴＷＳの主要な通知メッセージの安全情報又は基本情報と安全情報を送信することに使用されて、地震、津波が発生しないうちに、上記事前設定されたリソースをその他のサービスに使用されることを特徴とする請求項１の記載の転送方法。
【請求項１０】
地震、津波警戒システムＥＴＷＳメッセージ指示情報を含める呼出メッセージですべての端末を呼び出して、端末と事前設定されたリソースにＥＴＷＳ主要な通知メッセージの安全情報を送信して、上記ＥＴＷＳの主要な通知メッセージの基本情報が上記呼出メッセージに保持されて送信しまたは事前設定されたリソースに送信する基地局と、
上記ＥＴＷＳメッセージ指示情報を含める呼出メッセージを受信した後で、上記事前設定されたリソースに上記ＥＴＷＳの主要な通知メッセージの安全情報を受信して、上記呼出メッセージから取得し、或いは上記事前設定されたリソースに上記ＥＴＷＳの主要な通知メッセージの基本情報を受信する端末と、
を含めることを特徴とする地震、津波警戒システム。
【請求項１１】
上記事前設定されたリソースが一つ又は複数のサブフレーム内のＤＬ-ＳＣＨに位置して、上記事前設定されたリソースを含めるサブフレームがサブフレーム集合における一つ又は複数のサブフレームであって、上記サブフレーム集合が上記呼出メッセージ所属のサブフレーム及びその後の一番目から五番目までのサブフレームを含めることを特徴とする請求項１０の記載の地震、津波警戒システム。
【請求項１２】
上記事前設定されたリソースが連続的なもので、上記基地局と端末は上記事前設定されたリソースが上記ＤＬ-ＳＣＨに位置する固定位置を設定して、上記端末は上記固定位置より直接に上記事前設定されたリソースが上記ＤＬ-ＳＣＨに位置する位置を確定して、或いは、上記基地局と端末は上記事前設定されたリソースと上記ＤＬ-ＳＣＨに位置する位置が把握可能のもう一つのリソースの間の固定的な相対位置関係を設定して、上記端末は上記もう一つのリソースの位置より上記事前設定されたリソースが上記ＤＬ-ＳＣＨに位置する位置を推定することを特徴とする請求項１１の記載の地震、津波警戒システム。
【請求項１３】
上記事前設定されたリソースが離散的なものであって、上記事前設定されたリソースに位置するある部分のリソースに対して、上記基地局と端末は上記ある部分のリソースが上記ＤＬ-ＳＣＨに位置する固定位置を設定して、上記端末は上記固定位置より直接に上記ある部分のリソースが上記ＤＬ-ＳＣＨの位置を確定して、或いは、上記基地局と端末は上記ある部分のリソースと上記ＤＬ-ＳＣＨに位置する位置が把握可能のもう一つのリソースの間の固定的な相対位置関係を設定して、上記端末は上記もう一つのリソースの位置で上記ある部分のリソースが上記ＤＬ-ＳＣＨに位置する位置を推定することを特徴とする請求項１１の記載の地震、津波警戒システム。
【発明の詳細な説明】
【技術分野】
【０００１】
本発明は地震、津波警戒システム(Ｅａｒｔｈｑｕａｋｅ  ａｎｄ  Ｔｓｕｎａｍｉ  Ｗａｒｎｉｎｇ  Ｓｙｓｔｅｍ、略してＥＴＷＳと呼ばれる)及びその主要な通知メッセージの転送方法に関する。
【背景技術】
【０００２】
積極的に地震、津波等の自然災害に対応するため、地震、津波警戒システムを組み立てる必要があって、下記にＥＴＷＳとも呼ばれる。このシステムの使用より、地震、津波等の自然災害が発生する際に、タイムリーにユーザーへ災害関連の情報を送信できて、地震、津波等の自然災害が人類に対する影響を低減する。
【０００３】
図１は一つの公衆陸上移動ネットワーク(ＰＬＭＮ)運用機関がＥＴＷＳよりユーザーへ地震、津波警戒サービスを提供するネットワーク構造図である。災害イベントが間も無く発生し或いは発生した後で、政府又は他の機関がＰＬＭＮ運用機関へ警報通知を出し、ＰＬＭＮ運用機関がフレームに含まれるＥＴＷＳより広範なユーザーに警報通知メッセージを送信する。
【０００４】
緊急の程度と目的の違いにより、警報通知メッセージは、主要な通知メッセージ(Ｐｒｉｍａｒｙ  Ｎｏｔｉｆｉｃａｔｉｏｎ)と呼ばれ、このメッセージにおいて最も重要な災害情報(例えば、地震又は津波が間も無く発生する)があり、システムが４ｓ内にこのメッセージをユーザーへ転送することを要求される第一タイプの通知メッセージと、二級通知メッセージ(Ｓｅｃｏｎｄａｒｙ  Ｎｏｔｉｆｉｃａｔｉｏｎ)と呼ばれ、このメッセージが災害に関連する補助的な情報(たとえば、どこで援助を受けられる)を含め、システムが１０ｓ〜３０ｓのうちにメッセージをユーザーへ転送することを要求される第二タイプの通知メッセージと、二種類のタイプに分けられる。主要な通知メッセージは、警戒タイプ、警戒区域等の内容を含め、５個のバイトの長さがある基本情報と、基本情報に電子署名とタイムスタンプを提供し、約５０個のバイトの長さがある安全情報と、両部分より構成される。
【０００５】
長期発展型(ＬＴＥ)システムにおいて、従来の技術が提出したＥＴＷＳフレームは図２に示されている。図２に示すように、ネットワークフレームとインターフェースは、ＣＢＣコアネットワークを採用して実現され、発展型汎用地上無線アクセスネットワーク(Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、略してＥ-ＵＴＲＡＮと呼ばれる)、移動管理ユニット(Ｍｏｂｉｌｉｔｙ  Ｍａｎａｇｅｍｅｎｔ  Ｅｎｔｉｔｙ、略してＭＭＥと呼ばれる)、サービスゲートウェイ(Ｓｅｒｖｉｎｇ  Ｇａｔｅｗａｙ、略してＳ-ＧＷと呼ばれる)、パケットデータネットワークゲートウェイ(Ｐａｃｋｅｔ  Ｄａｔａ  Ｎｅｔｗｏｒｋ  Ｇａｔｅｗａｙ、略してＰ-ＧＷと呼ばれる)、ホームユーザーサーバー(Ｈｏｍｅ  Ｓｕｂｓｃｒｉｂｅｒ  Ｓｅｒｖｅｒ、略してＨＳＳと呼ばれる)、ポリシー課金統合機能(Ｐｏｌｉｃｙ  ａｎｄ  Ｃｈａｒｇｉｎｇ  Ｒｕｌｅｓ  Ｆｕｎｃｔｉｏｎ、略してＰＣＲＦと呼ばれる)実体及びその他のサポートノードを含める。このネットワーク構成に基づいて、Ｅ-ＵＴＲＡＮにおける基地局(発展型ノードＢとも呼ばれて、即ちｅＮＢである)はエアインターフェースＵｕポートよりＥＴＷＳの主要な通知メッセージを端末(ユーザー装置とも呼ばれて、即ちＵＥである)へ送信する際に、先にＵＥを呼出して、そして次の一つのシステムメッセージに周期(一般的に５ｓを超える)を改修して、システムメッセージよりＥＴＷＳの主要な通知メッセージを端末へ転送する方式を採用すると、主要な通知メッセージの４ｓの時間遅延の要求を満足することができない。
【発明の概要】
【発明が解決しようとする課題】
【０００６】
本発明の目的は、地震、津波警戒システムの主要な通知メッセージが送信時間に対する要求を満足でき、地震、津波警戒システムの主要な通知メッセージの転送方法及び対応の地震、津波警戒システムを提出することにある。
【課題を解決するための手段】
【０００７】
上記の目的を達成するための本発明に係る地震、津波警戒システムの主要な通知メッセージの転送方法においては、
基地局が地震、津波警戒システム(ＥＴＷＳ)メッセージ指示情報を含める呼出メッセージですべての端末を呼び出して、端末と事前設定されたリソースにＥＴＷＳ主要な通知メッセージの安全情報を送信して、上記ＥＴＷＳの主要な通知メッセージの基本情報が上記呼出メッセージに付加して送信し、或いは上記事前設定されたリソースに送信することと、及び、
端末が上記ＥＴＷＳメッセージ指示情報を含める呼出メッセージを受信した後で、上記事前設定されたリソースに上記ＥＴＷＳの主要な通知メッセージの安全情報を受信して、上記呼出メッセージから取得し、或いは事前設定されたリソースに上記ＥＴＷＳの主要な通知メッセージの基本情報を受信することと、を含める。
【０００８】
上記事前設定されたリソースが一つ又は複数のサブフレームのうちのダウンリンク共有チャネル(ＤＬ-ＳＣＨ)に位置できて、上記事前設定されたリソースのサブフレームがサブフレーム集合における一つ又は複数のサブフレームであって、このサブフレーム集合が上記呼出メッセージの所属のサブフレーム及びその後の一番目から五番目のサブフレームを含めることができる。
【０００９】
上記ＥＴＷＳメッセージ指示情報はＥＴＷＳの主要な通知メッセージの送信を指示する特定の国際移動ユーザー認識コードＩＭＳＩであってよい。
【００１０】
上記ＥＴＷＳメッセージ指示情報は上記呼出メッセージにＥＴＷＳの主要な通知メッセージの送信を指示するロゴを設置して、ＥＴＷＳメッセージの指示情報としてもよい。
【００１１】
上記事前設定されたリソースがシステムの既存のあるリソース固定チャネル(たとえば、呼出チャネルＰＣＨ)で、又はシステムメッセージの中にあるシステム情報ブロック(Ｓｙｓｔｅｍ  Ｉｎｆｏｒｍａｔｉｏｎ  Ｂｌｏｃｋ,略してＳＩＢと呼ばれる)でよい、或いはシステムメッセージのあるシステム情報(Ｓｙｓｔｅｍ  Ｉｎｆｏｒｍａｔｉｏｎ、略してＳＩと呼ばれる)を含む。
【００１２】
上記事前設定されたリソース(以下、リソースＳと呼ばれる)が連続的なものでもよく、上記基地局と端末はリソースＳがＤＬ-ＳＣＨに位置する固定位置を設定して、上記端末は上記固定位置によって直接にリソースＳがＤＬ-ＳＣＨに位置する位置を確定して、或いは上記基地局と端末がリソースＳとＤＬ-ＳＣＨに位置が把握可能のもう一つのリソースの間の固定的な相対位置関係を設定して、上記端末が上記もう一つのリソースの位置よりリソースＳがＤＬ-ＳＣＨに位置する位置を推定する。
【００１３】
上記事前設定されたリソース(以下、リソースＳと呼ばれる)が離散的なものでもよい。上記リソースＳに位置するある部分のリソースに対して、上記基地局と端末はこの部分のリソースがＤＬ-ＳＣＨに位置する固定位置を設定して、上記端末は上記固定位置より直接にこの部分のリソースがＤＬ-ＳＣＨに位置する位置を確定し、或いは、上記基地局と端末はこの部分のリソースとＤＬ-ＳＣＨに位置が把握可能のもう一つのリソースの間の固定的な相対位置関係設定して、上記端末は上記のもう一つのリソースの位置よりこの部分のリソースがＤＬ-ＳＣＨに位置する位置を推定する。
【００１４】
上記のもう一つのリソースが呼出チャネルＰＣＨリソースであってよい。
【００１５】
上記地震、津波警戒システムの主要な通知メッセージの転送方法が長期発展型システムに使用できて、地震、津波が発生した後で、上記事前設定されたリソースが上記ＥＴＷＳの主要な通知メッセージの安全情報又は基本情報と安全情報を送信することに使用されて、地震、津波がまだ発生しないうちに、上記事前設定されたリソースをその他のサービスに使用される。
【００１６】
本発明は地震、津波警戒システムをさらに提供し、このシステムにおいては地震、津波警戒システムが、ＥＴＷＳメッセージ指示情報を含める呼出メッセージですべての端末を呼出して、端末と事前設定されたリソースにＥＴＷＳ主要な通知メッセージの安全情報を送信して、上記ＥＴＷＳの主要な通知メッセージの基本情報が上記呼出メッセージに付加して送信し、または事前設定されたリソースに送信する基地局と、
上記ＥＴＷＳメッセージ指示情報を含める呼出メッセージを受信した後で、事前設定されたリソースに上記ＥＴＷＳの主要な通知メッセージの安全情報を受信して、上記呼出メッセージから取得し、或いは上記事前設定されたリソースに上記ＥＴＷＳの主要な通知メッセージの基本情報を受信する端末と、を含める。
【００１７】
上記基地局と端末が事前設定されたリソースが一つ又は複数のサブフレームのうちのダウンリンク共有チャネル(ＤＬ-ＳＣＨ)に位置できて、上記事前設定されたリソースを含めるサブフレームがサブフレーム集合における一つ又は複数のサブフレームであって、このサブフレーム集合が上記呼出メッセージ所属のサブフレーム及びその後の一番目から五番目のサブフレームを含めることができる。
【００１８】
上記基地局と端末が事前設定されたリソース(以下、リソースＳと呼ばれる)連続的なものでもよい、上記基地局と端末はリソースＳがＤＬ-ＳＣＨに位置する固定位置を設定して、上記端末は上記固定位置より直接にこの部分リソースがＤＬ-ＳＣＨに位置する位置を確定し、或いは、上記基地局と端末はこの部分のリソースとＤＬ-ＳＣＨに位置が把握可能のもう一つのリソースの間の固定的な相対位置関係を設定して、上記端末は上記もう一つのリソースの位置よりリソースＳがＤＬ-ＳＣＨに位置する位置を推定する。
【００１９】
上記基地局と端末事前設定されたリソース(以下、リソースＳと呼ばれる)離散的なものでもよい、上記リソースＳに位置するある部分のリソースに対して、上記基地局と端末はこの部分のリソースがＤＬ-ＳＣＨに位置する固定位置を設定して、上記端末は上記固定位置より直接にこの部分のリソースがＤＬ-ＳＣＨに位置する位置を確定して、或いは、上記基地局と端末はこの部分のリソースとＤＬ-ＳＣＨに位置する位置が把握可能のもう一つのリソースの間の固定的な相対位置関係を設定して、上記端末は上記のもう一つのリソースの位置よりこの部分のリソースがＤＬ-ＳＣＨに位置する位置を推定する。
【図面の簡単な説明】
【００２０】
【図１】ＥＴＷＳのシステムのフレーム図である。
【図２】ＬＴＥシステムにおけるＥＴＷＳネットワークフレームとインターフェースの模式図である。
【図３】本発明による第一実施例の方法のフローチャートである。
【図４】本発明による第二実施例の方法のフローチャートである。
【発明を実施するための形態】
【００２１】
ＥＴＷＳの主要な通知メッセージの時間遅延の要求を達成するために、直接に呼出メッセージ方式で主要な通知メッセージの基本情報と安全情報とを含むことを採用すると、主要な通知メッセージの内容がより大きいから、主要な通知メッセージのセグメントと従来の呼出メッセージ構造に対する改修等の問題があって、システムに対する改修がより多くなる。だから、本発明は主要な通知メッセージの基本情報に対して、呼出メッセージを採用して端末に通知し、主要な通知メッセージの安全情報に対して、ＤＬ-ＳＣＨにおける事前設定されたリソースを採用して端末に通知し、或いは、主要な通知メッセージのすべての情報に対して、ＤＬ-ＳＣＨに事前設定されたリソースを採用して端末に通知し、相応するスケジュール方法を結合して、時間遅延の要求を満足しながらメッセージに対する改修を減少する。
【００２２】
以下、ＬＴＥシステムにおける本発明の応用例を例として、図面を参照して本発明の具体的な実施形態を詳細に説明する。
【００２３】
第一実施例
本実施例の方法による基地局側の処理プロセスとしては、基地局が端末へＥＴＷＳメッセージ指示を含む呼出メッセージを送信して(Ｐａｇｉｎｇ  ｍｅｓｓａｇｅ)、即時にＤＬ-ＳＣＨの事前設定されたリソースを利用して基本情報と安全情報を含めるＥＴＷＳの主要な通知メッセージを送信する。すべての端末がＥＴＷＳメッセージ指示を含む呼出メッセージを受信した後で、設定されたリソースにＥＴＷＳの主要な通知メッセージを受信する。
【００２４】
本実施例において、すべての端末がＥＴＷＳメッセージ指示を含む呼出メッセージを受信した後で、リソース配布指令より通知する必要がない情况でもＥＴＷＳの主要な通知メッセージを受信できるために、基地局と端末は事前にＥＴＷＳの主要な通知メッセージを送信するリソースを設定する必要がある。そうすると、シグナルオーバーヘッドを減少できる。
【００２５】
事前設定された（prearranged）リソースＳ(便利に説明のため、事前設定されたリソースをＳに示す)は、システムの既存のあるリソース固定チャネル、又は既存のあるメッセージ、又は既存のあるキャリア（carrier）等であってよく、要するに、システムの既存の端末がすでに把握したチャネル、メッセージまたはキャリアである。たとえば、リソースＳが呼出チャネル(ＰＣＨ)であってよく、そうすると、端末はＥＴＷＳメッセージ指示情報を受信した後で、直接に次のＰＣＨにＥＴＷＳの主要な通知メッセージ(基本情報と安全情報を含む)を受信できる。リソースＳは、システムメッセージ中のあるシステム情報ブロックであってもよく、それにより端末は、ＥＴＷＳメッセージの指示情報を受信した後で、設定されたリソースＳを介して直接に受信することで、ＥＴＷＳの主要な通知メッセージを取得できる。さらにリソースＳは、システムメッセージを含む、ある種のシステム情報、たとえばＳＩ３であってもよく、ＥＴＷＳの主要な通知メッセージは、一つのＳＩ３に含まれるメッセージ(ＳＩ３  メッセージ)として形成され、それにより端末は、ＥＴＷＳメッセージの指示情報を受信した後で、ＳＩ３を介してメッセージを直接に受信することによって、ＥＴＷＳの主要な通知メッセージを取得する。
【００２６】
本実施例において、事前設定されたリソースＳは、ＥＴＷＳの主要な通知メッセージの基本情報と安全情報とを保持する（bearing）のに用いられ、このリソースＳが一つ又は複数のサブフレームうちのＤＬ-ＳＣＨに位置することができ、リソースＳを含めるサブフレームがサブフレーム集合における一つの又は複数のサブフレームであって、このサブフレーム集合が上記呼出メッセージの所属のサブフレームおよびその後の一番目から五番目までのサブフレームを含めることが好ましい。本文にあげた二つの実施例は呼出メッセージを送信するサブフレーム又は次のサブフレームのＤＬ-ＳＣＨにリソースＳを配布する。
【００２７】
同時にリソースＳがＤＬ-ＳＣＨに位置する位置を設定する必要があって、その実現し易い幾つかの方式は下記の通りである。
【００２８】
１.直接にリソースＳがＤＬ-ＳＣＨに位置する固定位置を設定する二種類の方法を提供することにある。
【００２９】
（ｉ）ＥＴＷＳ情報のサイズがすでに把握され、コーディング符号レート、変調方法等が固定されるので、直接にこのサブフレーム内のＤＬ-ＳＣＨに適当なサイズのリソースＳを配布することができる。たとえば、このサブフレーム内に１０〜１５番目の物理リソースブロック(Ｐｈｙｓｉｃａｌ Ｒｅｓｏｕｒｃｅ Ｂｌｏｃｋ、略してＰＲＢと呼ばれる)をリソースＳ(６個のＰＲＢがＥＴＷＳの主要な通知メッセージを収納できることを想定する)に規定してもよいし、１０番目、１２番目、１４〜１６番目の物理リソースブロックをリソースＳに規定してもよい。要するに、システム情報リソースとＰａｇｉｎｇメッセージリソースに影響を与えない前提で、安全情報にリソースを保留する。地震が発生しないうちに、この保留されたリソースが別途で使用され、一旦、地震が発生すると、このリソースが安全情報に優先的に使用される。もちろん、この時の呼出チャネル、即ちＰＣＨは時間方向がより早いＰＲＢに送信すべきであり、ＰＣＨリソースとＳリソースはある程度の時間間隔が必要で、この間隔は端末処理Ｐａｇｉｎｇの時間より長い必要である。
【００３０】
（ｉｉ）ＥＴＷＳ情報のサイズが知られ、コーディング符号レートと変調方式等がすべて固定されたので、このＰａｇｉｎｇメッセージの所属のサブフレームの次の隣接的なサブフレーム内、或いは近接するサブフレーム内のＤＬ-ＳＣＨに適当なサイズのリソースＳを配布することができる。たとえば、Ｐａｇｉｎｇメッセージの所属のサブフレームの次の隣接的なサブフレーム内、或いは近接するサブフレーム内に１０〜１５番目のＰＲＢをリソースＳ(６個のＰＲＢがＥＴＷＳの主要な通知メッセージを収納できることを想定する)に規定してもよいし、１０番目、１２番目、１４〜１６番目をリソースＳに規定してもよい。
【００３１】
２.リソースＳとＤＬ-ＳＣＨに位置が把握可能のその他のリソースの間の固定的な相対位置関係を設定し、そうすると、その他のリソースの位置よりリソースＳがＤＬ-ＳＣＨに位置する位置を推定することができる。
【００３２】
上記その他のリソースは、たとえばＰＣＨチャネルであってもよい。ＰＣＨチャネルは動的に変えられ、システムは端末にＰＣＨのリソース位置を毎回、知らせるので、リソースＳとＰＣＨリソースとの間にある固定的な相対位置関係が存在するよう設定することができる。たとえば、もしリソースＳがＰＣＨリソースの後の連続的な幾つかのＰＲＢに設定され、その後の連続的なＰＲＢが安全情報を保持するのに不十分であるなら、ＰＲＢは次のサブフレームの一番目のＰＲＢまで伸長しえる。
【００３３】
リソースＳが連続的なものであってもよいし、離散的な物であってもよいので、上記離散というのはリソースＳを複数の部分に分けたが、毎部分のリソースの位置が必ず固定的なもの又は推定可能のものである。たとえば、リソースＳがリソースＳ１とリソースＳ２とからなり、リソースＳ１とリソースＳ２が周波数リソースに及び/又は時間リソースに間隔があってもよく、たとえば、リソースＳ１が四番目のＯＦＤＭ符号に位置し、リソースＳ２が六番目のＯＦＤＭ符号に位置する。リソースＳ１とリソースＳ２がＤＬ-ＳＣＨに位置する位置は固定的なものに設定してもよいし、その中の一つのリソースだけ、例えば、Ｓ１がＤＬ-ＳＣＨに位置する固定位置を設定し、同時にもう一つのリソースＳ２とこの固定位置を備えるリソースＳ１(又はその他のリソース)の固定的な相対位置関係を設定して、もう一つのリソースＳ２の位置を推定してもよい。さらに、リソースＳはリソースＳ１、リソースＳ２及びリソースＳ３又はより多い部分に分けて、類似の方式を採用してこの位置を設定できる。即ち、リソースＳにおけるある部分のリソースに対して、事前にこの部分リソースがＤＬ-ＳＣＨに位置する固定位置を設定するか、又はこの部分リソースとＤＬ-ＳＣＨに位置が把握可能のもう一つのリソースの間の固定的な相対位置関係を設定する。
本文において、リソースＳの位置とは、リソースＳ全体がＤＬ-ＳＣＨに位置する位置であって、時間領域と周波数領域に初期と終了位置で示してよいし、時間領域と周波数領域に初期又は終了位置にリソース数を加算して示してもよい。
【００３４】
地震、津波が発生した後で、上記事前設定されたリソースを上記ＥＴＷＳの主要な通知メッセージの安全情報、又は、基本情報と安全情報を送信することに使用され、地震、津波が発生しない場合に、上記事前設定されたリソースがその他のサービスに使用されることができる。
【００３５】
図３に示すように、本実施例の方法のプロセスは以下のステップを含める。
【００３６】
ステップ３１０は、基地局がコアネットワークのＥＴＷＳの主要な通知メッセージを受信した後で、ＥＴＷＳメッセージの指示情報を含む呼出メッセージで端末を呼出する。
【００３７】
本実施例が一つの特定された国際移動ユーザー認識コード(Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ、略してＩＭＳＩと呼ばれる)より、即ちＥＴＷＳ  ＩＭＳＩをＥＴＷＳメッセージ指示情報とし、即ち、端末へＥＴＷＳの主要な通知メッセージを送信することを通知する。但し、これは唯一の方式ではなくて、その他の実施の形態において、この呼出メッセージに一つのＥＴＷＳの主要な通知メッセージの送信を指示するロゴを設置して、ＥＴＷＳメッセージ指示情報等としてもよい。
【００３８】
ステップ３２０は、基地局がＥＴＷＳの主要な通知メッセージのすべての情報を事前設定されたリソースにマッピングして、端末へ送信する。
【００３９】
ステップ３３０は、端末がＥＴＷＳメッセージ指示を含む呼出メッセージを受信した後で、事前設定されたリソースにＥＴＷＳの主要な通知メッセージを受信する。
【００４０】
端末が受信された呼出メッセージにおけるＩＭＳＩがＥＴＷＳ  ＩＭＳＩであると判明した際に、ＥＴＷＳメッセージ指示を含む呼出メッセージを受信したと確定することができる。
【００４１】
第二実施例
本実施例において、基地局は、ＥＴＷＳメッセージ指示とＥＴＷＳの主要な通知メッセージの基本情報とを含む呼出メッセージを端末に送信し、ＤＬ-ＳＣＨにおける事前設定されたリソースＳを介して、ＥＴＷＳの主要な通知メッセージの安全情報を送信する。この安全情報を送信するのに用いられるリソースＳは、第一実施例に開示された方法に従って事前設定できる。
【００４２】
図４に示すように、本実施例の基地局側の処理プロセスは以下のステップを含む。
【００４３】
ステップ４１０は、基地局がコアネットワークのＥＴＷＳの主要な通知メッセージ受信した後で、ＥＴＷＳメッセージ指示とＥＴＷＳの主要な通知メッセージの基本情報とを含む呼出メッセージで端末を呼出する。
本実施例がＥＴＷＳ  ＩＭＳＩをＥＴＷＳメッセージ指示としてもよく、ＥＴＷＳの主要な通知メッセージの基本情報が呼出メッセージの一つの情報ユニットに置いて、端末に読み込まれることができる。
【００４４】
ステップ４２０は、基地局がＥＴＷＳの主要な通知メッセージの安全情報を事前設定されたリソースにマッピングして、端末へ送信する。
【００４５】
ステップ４３０は、端末がＥＴＷＳメッセージ指示を含む呼出メッセージを受信した後で、その中に含まれるＥＴＷＳの主要な通知メッセージの基本情報を読み込んで、事前設定されたリソースにＥＴＷＳの主要な通知メッセージの安全情報を受信する。
【００４６】
上記二つの実施例がいずれも事前設定されたリソースＳよりＥＴＷＳの主要な通知メッセージ或いはこの中の安全情報を送信するが、本発明に対して、基地局が呼出メッセージを送信する同時に、端末へリソース配布指令を送信して、ＥＴＷＳの主要な通知メッセージまたはこの中の安全情報を保持するリソースの所属の位置を指示することができる。端末はこのリソース配布指令より正確にＥＴＷＳの主要な通知メッセージ又はこの中の安全情報を受信することができる。
【００４７】
下記に本発明の二つの応用例を説明する。
【００４８】
第一応用例
本例において、ＥＴＷＳの主要な通知メッセージの安全情報がある事前設定されたリソースＳに保持（bearing）されて、事前設定されたリソースＳがＥＴＷＳ指示情報を含む呼出メッセージの所属のサブフレームの次のサブフレームであり、ＤＬ-ＳＣＨにおける１０〜１５番目のＰＲＢを占用すると仮定する。リソースＳはＥＴＷＳの主要な通知メッセージの安全情報を保持できる。
【００４９】
基地局がＥＴＷＳの主要な通知メッセージを端末へ送信するプロセスにおいては、基地局がコアネットワークのＥＴＷＳの主要な通知メッセージを受信することと、基地局が端末の呼出タイミングに、端末へ呼出を始動させ、この呼出メッセージのＩＭＳＩがＥＴＷＳ  ＩＭＳＩであって、且つ、この呼出メッセージにおいてＥＴＷＳの主要な通知メッセージの基本情報を含むことと、基地局がＥＴＷＳの主要な通知メッセージの安全情報を事前設定されたリソースＳにマッピングして、呼出メッセージの所属のサブフレームの次のサブフレームに端末へ送信することとを含める。
【００５０】
端末側がＥＴＷＳの主要な通知メッセージを受信する処理プロセスにおいては、端末がこの呼出タイミングで呼出メッセージ受信して、受信された呼出メッセージのＩＭＳＩがＥＴＷＳ  ＩＭＳＩである際に、この呼出をＥＴＷＳ呼出と確特定して、この呼出メッセージに含まれたＥＴＷＳの主要な通知メッセージの基本情報を読み込むことと、端末が次のサブフレームの１０-１５番目のＰＲＢにＥＴＷＳの主要な通知メッセージの安全情報を受信することとを含める。
【００５１】
第二応用例
本例において、ＥＴＷＳの主要な通知メッセージの安全情報がある事前設定されたリソースＳに保持されて、リソースＳがＥＴＷＳ指示呼出メッセージを送信するサブフレームに位置して、呼出チャネルと固定的な相対位置関係が存在し、リソースＳが隣接的な呼出チャネルリソースの後の連続的な６個のＰＲＢに位置すると仮定する。ＰＲＢ序列インデックスが最大インデックス番号を超えたと、次のサブフレーム内にこれらのＰＲＢを配布し、ＰＲＢ序列インデックス番号に対してモジュロ演算した後のインデックス番号を実際のＰＲＢ序列インデックス番号とする。
【００５２】
基地局がＥＴＷＳの主要な通知メッセージを端末へ送信するプロセスにおいては、基地局がコアネットワークのＥＴＷＳの主要な通知メッセージを受信することと、基地局が端末の呼出タイミングで、端末へ呼出を始動させて、呼出メッセージのＩＭＳＩがＥＴＷＳ  ＩＭＳＩであって、且つ、この呼出メッセージにＥＴＷＳの主要な通知メッセージの基本情報を含むことと、基地局がＥＴＷＳの主要な通知メッセージの安全情報を事前設定されたリソースＳにマッピングして、呼出メッセージ所属の同じサブフレーム内に端末へ送信することを含める。
【００５３】
端末側がＥＴＷＳの主要な通知メッセージを受信する処理のプロセスにおいては、端末がその呼出タイミングで呼出メッセージを受信して、受信された呼出メッセージＩＭＳＩがＥＴＷＳ  ＩＭＳＩであると、この呼出をＥＴＷＳ呼出と確定し、この呼出メッセージに含まれるＥＴＷＳの主要な通知メッセージの基本情報を読み込むことと、端末が隣接的な呼出チャネルリソース後の連続的な６個のＰＲＢにＥＴＷＳの主要な通知メッセージの安全情報を受信することとを含める。
【００５４】
エアインタフェースの品質問題等より端末が基地局の呼出メッセージを受信しないことを考慮しないと、一つの端末を呼び出す最大時間遅延が２.５６ｓであって、本案を採用すれば、端末が呼出メッセージを受信した後で、即時に予め設定されたリソースにＥＴＷＳの主要な通知メッセージの安全情報を読み込むことを始めて、この分の時間遅延が２ｍｓ以内に規定することができるので、一般的な情况で、ＥＴＷＳの主要な通知メッセージが端末に到達する時間は４ｓを超えない。
【００５５】
本発明のＥＴＷＳの主要な通知メッセージの転送方法は通信システムにおけるＥＴＷＳにも使用することができる。
【産業上の利用可能性】
【００５６】
従来の技術と比べて、本発明より提供された技術案はＥＴＷＳの主要な通知メッセージの転送が実現できて、同時に４ｓの時間遅延の要求を満足して、且つ、基地局と端末だけに対してわずかな改変を加えるだけで、オーバーヘッドの増加がないか、或いは増加が非常に少ない。
【図１】
2011529214.tif 000003
【図２】
2011529214.tif 000004
【図３】
2011529214.tif 000005
【図４】
2011529214.tif 000006
【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
基地局が地震、津波警戒システム(ＥＴＷＳ)メッセージ指示情報を含める呼出メッセージですべての端末を呼び出して、すぐにダウンリンク共用チャネル（ＤＬ−ＳＣＨ）上に端末と事前設定されたリソースにＥＴＷＳ主要な通知メッセージの安全情報と基本情報とを送信して、或いは上記呼出メッセージに上記ＥＴＷＳの主要な通知メッセージの基本情報を送信し、上記ＤＬ−ＳＣＨ上に事前設定されたリソースに上記ＥＴＷＳの主要な通知メッセージの安全情報を送信することと、
端末が上記ＥＴＷＳメッセージ指示情報を含める呼出メッセージを受信した後で、上記ＤＬ−ＳＣＨ上に事前設定されたリソースに上記ＥＴＷＳの主要な通知メッセージの安全情報と基本情報とを受信し、或いは上記呼出メッセージに上記ＥＴＷＳの主要な通知メッセージの基本情報を取得し、その後、上記ＤＬ−ＳＣＨ上に事前設定されたリソースに上記ＥＴＷＳの主要な通知メッセージの安全情報を受信することとを含めることを特徴とする地震、津波警戒システムの主要な通知メッセージの転送方法。
【請求項２】
上記事前設定されたリソースが一つ又は複数のサブフレーム内のダウンリンク共有チャネル(ＤＬ-ＳＣＨ)に位置して、上記事前設定されたリソースを含めるサブフレームがサブフレーム集合における一つ又は複数のサブフレームであって、上記サブフレーム集合が上記呼出メッセージの所属のサブフレーム及びその後の一番目から五番目までのサブフレームを含めることを特徴とする請求項１に記載の転送方法。
【請求項３】
上記ＥＴＷＳメッセージ指示情報が上記呼出メッセージに一つのＥＴＷＳの主要な通知メッセージの送信を指示するロゴを設置することにより、ＥＴＷＳメッセージ指示情報になることを特徴とする請求項１又は２に記載の転送方法。
【請求項４】
上記事前設定されたリソースがシステムの既存のあるリソースの固定チャネルであって、或いはシステムメッセージの中にあるシステム情報ブロックであって、或いはシステムメッセージを含むあるシステム情報であることを特徴とする請求項１又は３に記載の転送方法。
【請求項５】
上記システムの既存の一つのリソース固定チャネルが呼出チャネルであることを特徴とする請求項４に記載の転送方法。
【請求項６】
上記事前設定されたリソースが連続的なものであって、上記基地局と端末は、上記事前設定されたリソースが上記ＤＬ-ＳＣＨの固定位置に位置することを設定して、上記端末は上記固定位置より直接に上記事前設定されたリソースが上記ＤＬ-ＳＣＨに位置する位置を確定し、或いは、上記基地局と端末は上記事前設定されたリソースと上記ＤＬ-ＳＣＨに位置が把握可能のもう一つのリソースの間の固定的な相対位置関係を設定して、上記端末は上記もう一つのリソースの位置より上記事前設定されたリソースが上記ＤＬ-ＳＣＨに位置する位置を推定することを特徴とする請求項１又は３に記載の転送方法。
【請求項７】
上記事前設定されたリソースが離散的なものであって、上記事前設定されたリソースにおけるある部分のリソースに対して、上記基地局と端末は上記ある部分のリソースが上記ＤＬ-ＳＣＨに位置する固定位置を設定して、上記端末は上記固定位置より直接に上記ある部分のリソースが上記ＤＬ-ＳＣＨに位置する位置を確定し、或いは、上記基地局と端末は上記ある部分のリソースと上記ＤＬ-ＳＣＨに位置する位置が把握可能のもう一つのリソースの間の固定的な相対位置関係を設定して、上記端末は上記もう一つのリソースの位置より上記ある部分のリソースが上記ＤＬ-ＳＣＨに位置する位置を推定することを特徴とする請求項１又は３に記載の転送方法。
【請求項８】
上記もう一つのリソースとは呼出チャネルリソースであることを特徴とする請求項７に記載の転送方法。
【請求項９】
長期発展型システムに使用されて、地震、津波が発生した後で、上記事前設定されたリソースが上記ＥＴＷＳの主要な通知メッセージの安全情報又は基本情報と安全情報を送信することに使用されて、地震、津波が発生しないうちに、上記事前設定されたリソースをその他のサービスに使用されることを特徴とする請求項１に記載の転送方法。
【請求項１０】
地震、津波警戒システムＥＴＷＳメッセージ指示情報を含める呼出メッセージですべての端末を呼び出して、すぐにダウンリンク共用チャネル（ＤＬ−ＳＣＨ）上に端末と事前設定されたリソースにＥＴＷＳ主要な通知メッセージの安全情報と基本情報とを送信して、或いは上記呼出メッセージに上記ＥＴＷＳの主要な通知メッセージの基本情報を送信し、または上記ＤＬ−ＳＣＨ上に事前設定されたリソースに上記ＥＴＷＳの主要な通知メッセージの安全情報を送信する基地局と、
上記ＥＴＷＳメッセージ指示情報を含める呼出メッセージを受信した後で、上記ＤＬ−ＳＣＨ上に事前設定されたリソースに上記ＥＴＷＳの主要な通知メッセージの安全情報を受信し、或いは上記呼出メッセージに上記ＥＴＷＳの主要な通知メッセージの基本情報を取得し、その後、上記ＤＬ−ＳＣＨ上に事前設定されたリソースに上記ＥＴＷＳの主要な通知メッセージの安全情報を受信する端末と、
を含めることを特徴とする地震、津波警戒システム。
【請求項１１】
上記事前設定されたリソースが一つ又は複数のサブフレーム内のＤＬ-ＳＣＨに位置して、上記事前設定されたリソースを含めるサブフレームがサブフレーム集合における一つ又は複数のサブフレームであって、上記サブフレーム集合が上記呼出メッセージ所属のサブフレーム及びその後の一番目から五番目までのサブフレームを含めることを特徴とする請求項１０に記載の地震、津波警戒システム。
【請求項１２】
上記事前設定されたリソースが連続的なもので、上記基地局と端末は上記事前設定されたリソースが上記ＤＬ-ＳＣＨに位置する固定位置を設定して、上記端末は上記固定位置より直接に上記事前設定されたリソースが上記ＤＬ-ＳＣＨに位置する位置を確定して、或いは、上記基地局と端末は上記事前設定されたリソースと上記ＤＬ-ＳＣＨに位置する位置が把握可能のもう一つのリソースの間の固定的な相対位置関係を設定して、上記端末は上記もう一つのリソースの位置より上記事前設定されたリソースが上記ＤＬ-ＳＣＨに位置する位置を推定することを特徴とする請求項１０又は１１に記載の地震、津波警戒システム。
【請求項１３】
上記事前設定されたリソースが離散的なものであって、上記事前設定されたリソースに位置するある部分のリソースに対して、上記基地局と端末は上記ある部分のリソースが上記ＤＬ-ＳＣＨに位置する固定位置を設定して、上記端末は上記固定位置より直接に上記ある部分のリソースが上記ＤＬ-ＳＣＨの位置を確定して、或いは、上記基地局と端末は上記ある部分のリソースと上記ＤＬ-ＳＣＨに位置する位置が把握可能のもう一つのリソースの間の固定的な相対位置関係を設定して、上記端末は上記もう一つのリソースの位置で上記ある部分のリソースが上記ＤＬ-ＳＣＨに位置する位置を推定することを特徴とする請求項１０又は１１に記載の地震、津波警戒システム。
【国際調査報告】
2011529214.tif 000007
2011529214.tif 000008
2011529214.tif 000009
2011529214.tif 000010